(57)【要約】【課題】　電子マネーを管理，所有する際に用いられる電子マネーの管理所有装置において、単一種類の通貨のみを使用する場合にも、電子マネーを用途別に分類して管理できるようにして、電子マネーの使用の際の利便性を向上させるようにする。【解決手段】　通貨の電子的象徴として定義される電子マネーを、単一種類の通貨に関して、所要の記憶部３００に書き替え可能に保持しうる媒体５００と、媒体５００内の記憶部３００において用途別に定義される複数の格納領域３０１を設定し、電子マネーを上記複数の格納領域３０１に指定通り用途に応じて分散して格納する電子マネー分散格納制御手段１００と、媒体５００内で所有している電子マネーに関し、所望の格納領域３０１を指定して、この指定の格納領域３０１に格納されている電子マネーで支払を実行する電子マネー支払実行手段２００とを設けて構成する。【選択図】　　　　図１
2004005734.tif 000002
【特許請求の範囲】
【請求項１】
通貨の電子的象徴として定義される電子マネーを、単一種類の通貨に関して、所要の記憶部に書き替え可能に保持しうる媒体と、
　該媒体内の該記憶部において用途別に定義される複数の格納領域を設定し、該電子マネーを上記複数の格納領域に指定通り用途に応じて分散して格納する電子マネー分散格納制御手段と、
　該媒体内で所有している電子マネーに関し、所望の格納領域を指定して、この指定の格納領域に格納されている電子マネーで支払を実行する電子マネー支払実行手段とが設けられたことを特徴とする、電子マネーの管理所有装置。
【請求項２】
通貨の電子的象徴として定義される電子マネーを、単一種類の通貨に関して、所要の記憶部に書き替え可能に保持しうる媒体に対し、該媒体内の該記憶部において用途別に定義される複数の格納領域に、該電子マネーを指定通り用途に応じて分散して格納することにより、該電子マネーを該媒体内に所有することを特徴とする、電子マネーの管理所有方法。
【発明の詳細な説明】
【技術分野】
【０００１】
　　本発明は、通貨の電子的象徴として定義される電子マネーを管理，所有する際に用いて好適な、電子マネーの管理所有装置および管理所有方法に関する。
【背景技術】
【０００２】
　近年、商取引時のキャッシュレス化を可能にする電子マネーシステムの開発が行なわれている。電子マネーの管理所有媒体（電子マネーの可搬媒体）としては、通常、カードユニット（カード型記憶媒体）、より具体的には集積回路（ＩＣ；Integrated Circuit）が内蔵されたＩＣカードが用いられている。
　このＩＣカードは、電子マネーを格納するデータメモリを有しており、このデータメモリには、電子マネーを通貨別に分類して格納すべく、各通貨毎に電子マネーを格納する格納領域が形成されている。例えば、データメモリには、日本円用の格納領域，アメリカドル用の格納領域，ドイツマルク用の格納領域等のように、各通貨毎に電子マネーを格納する格納領域が形成されている。
【０００３】
　このように、電子マネーの管理所有媒体としてのＩＣカードによれば、現金の代わりに電子マネーを支払うのでクレジットと違って決済に焼付けがなく、又、セキュリティ機能を付加できるので安全性を高めることができ、更に、財布（現金）と同様に、利用者全員が所持できるため、キャッシュカード（および通帳）と違い、例えば、一つの口座を３人以上の家族で共有するような使い方をすることもできる。
【発明の開示】
【発明が解決しようとする課題】
【０００４】
　さて、今後は、電子マネーの普及に伴って、電子マネーを現金と同じ感覚で利用することが考えられる。従って、日常生活においては、電子マネーの管理所有媒体としてのＩＣカードに、単一種類の通貨（すなわち自国の通貨）のみを格納して使用する場合がほとんどになると考えられる。
　しかしながら、従来の電子マネーの管理所有媒体としてのＩＣカードにおいては、電子マネーが格納されるデータメモリには、前述のごとく各通貨毎に格納領域が形成されているため、電子マネーは、その通貨に対応した特定の格納領域に何の分類もなく格納される。
【０００５】
　ここで、電子マネーは、格納領域毎に集計された一つの残高を数値でしか把握することができないため、単一種類の通貨のみを使用する場合には、用途別に電子マネーを分類して管理することができない。すなわち、現金であれば、財布の仕切りの一方の側に食費用の現金を入れ、他方の側に予備用の現金を入れる等のように、現金を用途別に分類し、分類された現金を用途に合わせてそれぞれ使用するように管理することができるが、電子マネーは現金とは異なり、残高を数値でしか把握することができないため、用途別に分類して管理することができない。
【０００６】
　このため、電子マネーを用いる場合には、例えば、予備用の電子マネーとして￥５，０００確保しておきたいと考えていても、気がつかないうちに食費として使用してしまうこともあり、電子マネーを計画的に管理することが困難であるという課題がある。
　本発明は、このような課題に鑑み創案されたもので、単一種類の通貨のみを使用する場合にも、電子マネーを用途別に分類して管理できるようにして、電子マネーの使用の際の利便性を向上させるようにした、電子マネーの管理所有装置および管理所有方法並びに管理所有用媒体を提供するとともに、更には、電子マネーを用途別に管理する手順をコンピュータに実行させるための電子マネー管理所有用プログラムを記録したコンピュータ読み取り可能な記録媒体を提供することを目的とする。
【課題を解決するための手段】
【０００７】
　このため、本発明の電子マネーの管理所有装置（請求項１）は、通貨の電子的象徴として定義される電子マネーを、単一種類の通貨に関して、所要の記憶部に書き替え可能に保持しうる媒体と、この媒体内の記憶部において用途別に定義される複数の格納領域を設定し、電子マネーを上記複数の格納領域に指定通り用途に応じて分散して格納する電子マネー分散格納制御手段と、媒体内で所有している電子マネーに関し、所望の格納領域を指定して、この指定の格納領域に格納されている電子マネーで支払を実行する電子マネー支払実行手段とが設けられたことを特徴としている。
【０００８】
　ここで、電子マネー分散格納制御手段は、外部から電子マネーを読み込んで、媒体内にこの電子マネーを受領して格納する際に、所望の格納領域を指定する指定手段と、この指定手段で指定された格納領域に電子マネーを格納する格納手段とをそなえて構成することができる。
　また、電子マネー分散格納制御手段は、媒体内で所有している電子マネーについて、複数の格納領域間で電子マネーを移動する際に、移動元の格納領域および移動先の格納領域のうちの少なくとも一方の格納領域を指定する指定手段と、移動元の格納領域から指定手段で指定された上記の移動先の格納領域に電子マネーを移動する移動手段とをそなえて構成することができる。
【０００９】
　さらに、電子マネー支払実行手段は、媒体内で所有している電子マネーで支払を行なう際に、支払額不足のために、指定した格納領域に格納されている電子マネーで支払ができない場合は、他の格納領域を指定する指定手段と、この指定手段で指定された他の格納領域から電子マネーを支払額不足が生じた格納領域へ移動する移動手段とをそなえて構成することができる。なお、電子マネー支払実行手段は、他の格納領域から電子マネーを支払額不足が生じた格納領域へ移動する際に、貸し借り情報を媒体内に記録する貸し借り情報記録手段をそなえて構成してもよい。そして、貸し借り情報を表示する表示手段を設けてもよい。
【００１０】
　また、電子マネー支払実行手段は、媒体内で所有している電子マネーで支払を行なう際に、支払額不足のために、指定した格納領域に格納されている電子マネーで支払ができない場合は、他の格納領域を指定する指定手段と、この指定手段で指定された他の格納領域から電子マネーを支払額不足が生じた格納領域へ移動する移動手段とをそなえて構成されるとともに、電子マネー分散格納制御手段が、外部から電子マネーを読み込んで、媒体内にこの電子マネーを受領して格納する際に、支払不足額に相当する電子マネーを他の格納領域に格納して、支払不足額の精算を行なう精算手段をそなえて構成してもよい。
【００１１】
　さらに、電子マネー分散格納制御手段及び電子マネー支払実行手段による格納領域に対する電子マネーの書き込み，読み出しをそれぞれ禁止しうる禁止手段を設けることもできる。
　ところで、本発明の電子マネーの管理所有方法（請求項２）は、通貨の電子的象徴として定義される電子マネーを、単一種類の通貨に関して、所要の記憶部に書き替え可能に保持しうる媒体に対し、この媒体内の記憶部において用途別に定義される複数の格納領域に、電子マネーを指定通り用途に応じて分散して格納することにより、電子マネーを媒体内に所有することを特徴としている。
【００１２】
　ここで、媒体内で所有している電子マネーで支払を行なう際に、所望の格納領域を指定して、この指定の格納領域に格納されている電子マネーで支払を実行するようにしてもよい。
　また、外部から電子マネーを読み込んで、媒体内にこの電子マネーを受領して格納する際に、所望の格納領域を指定して、この指定の格納領域に電子マネーを格納するようにしてもよい。
【００１３】
　さらに、媒体内で所有している電子マネーについて、複数の格納領域間で電子マネーを移動する際に、移動元の格納領域および移動先の格納領域のうちの少なくとも一方の格納領域を指定して、上記の移動元の格納領域から移動先の格納領域に電子マネーを移動するようにしてもよい。
　ここで、媒体内で所有している電子マネーで支払を行なう際に、支払額不足のために、指定した格納領域に格納されている電子マネーで支払ができない場合は、他の格納領域を指定して、この指定された他の格納領域から電子マネーを支払額不足が生じた格納領域へ移動するようにしてもよい。
【００１４】
　さらに、他の格納領域から電子マネーを支払額不足が生じた格納領域へ移動する際に、貸し借り情報を媒体内に記録するようにしてもよく、貸し借り情報を表示するようにしてもよい。
　また、他の格納領域から電子マネーを支払額不足が生じた格納領域へ移動した状態で、その後、外部から電子マネーを読み込んで、媒体内にこの電子マネーを受領して格納する際に、支払不足額に相当する電子マネーを他の格納領域に格納して、支払不足額の精算を行なうようにしてもよい。
【００１５】
　ところで、本発明の電子マネーの管理所有用媒体は、通貨の電子的象徴として定義される電子マネーを所要の記憶部に書き替え可能に保持しうる媒体において、この媒体内の記憶部において、単一種類の通貨に関し、用途別に定義される複数の格納領域が設定され、この複数の格納領域に、電子マネーが指定通り用途に応じて分散して格納されるように構成されたことを特徴としている。
【００１６】
　さらに、本発明の電子マネー管理所有用プログラムを記録したコンピュータ読み取り可能な記録媒体は、コンピュータに、通貨の電子的象徴として定義される電子マネーを、単一種類の通貨に関して、所要の記憶部に書き替え可能に保持しうる媒体内の記憶部において用途別に定義される複数の格納領域に、電子マネーを指定通り用途に応じて分散して格納する電子マネー分散格納制御手順と、媒体内で所有している電子マネーに関し、所望の格納領域を指定して、この指定の格納領域に格納されている電子マネーで支払を実行する電子マネー支払実行手順とを実行させる電子マネー管理所有用プログラムが記録されたことを特徴としている。
【発明の効果】
【００１７】
　本発明によれば、電子マネーを、単一種類の通貨に関して、複数の格納領域に指定通り用途に応じて分散して格納するとともに、所望の格納領域に格納されている電子マネーで支払を実行することにより、単一種類の通貨のみを使用する場合にも電子マネーを用途別に分散して管理することができるので、現金を用途別に分け持っているのと同じ感覚で電子マネーを使用することができ、その利便性を上げることができるという利点がある（請求項１，請求項２）。
【００１８】
　また、本発明によれば、他の格納領域から電子マネーを支払額不足が生じた格納領域へ移動する際に、貸し借り情報を媒体内に記録することができるので、それらの用途別に管理された電子マネー間において、貸し借りが発生した際にもその貸し借り情報を管理することができ、電子マネーの管理・運用が容易であるという利点がある。
【発明を実施するための最良の形態】
【００１９】
　以下、図面を参照して、本発明の一実施形態としての電子マネーの管理所有手法について説明する。
　（ａ）本発明の一実施形態としての電子マネーの管理所有装置の構成の説明
　　（ａ１）電子マネーの管理所有装置の構成
　図１は本発明の一実施形態にかかる電子マネーの管理所有装置の構成を示す機能ブロック図であり、この図１に示す電子マネーの管理所有装置１０は、通貨の電子的象徴として定義される電子マネーを、単一種類の通貨に関して、用途別に管理，所有するための装置であり、電子マネーの管理所有用媒体（電子マネーの可搬媒体）としてのＩＣカード１０００と、後述するＰＯＳ（Point Of Sales；販売時点情報管理）システム，電子財布，電子マネー対応ＡＴＭ（Automatic Teller Machine；自動預金支払機）または残高表示器等の外部装置４００とを組み合わせることにより構成されている。なお、電子マネーの管理所用媒体（電子マネーの可搬媒体）としてのＩＣカード１０００とこれらの外部装置４００とを組み合わせる態様については、（ａ２）にて後述する。
【００２０】
　ここで、ＩＣカード１０００は、電子マネーを単一種類の通貨に関して、所要の記憶部３００に書換え可能に保持しうる媒体５００としての機能を有するものである。
　まず、ＩＣカード１０００のハードウェア構成について説明すると、ＩＣカード１０００は、図２に示すように、ＭＰＵ（Micro Processor Unit）２，データメモリ３およびコネクト部４をそなえて構成されている。
【００２１】
　ＭＰＵ２は、ＲＯＭ（Read Only Memory）２３，ＲＡＭ（Random Access Memory）２４，制御部２１および演算部２２をそなえて構成されており、ＲＯＭ２３には、制御部２１および演算部２２を駆動させるためのプログラムが記録されている。そして、ＭＰＵ２においては、このＲＯＭ２３に記録されているプログラムに従って制御部２１および演算部２２が動作することにより、図２では図示しない外部装置から入力された電子マネーの入出金データや、この入出金データに基づいて演算部２２により演算された演算データを、ＲＡＭ２４に一時的に格納したり、データメモリ３に引き渡したり、コネクト部４を介して外部装置に引き渡したりしてＩＣカード１０００を機能させるようになっている。
【００２２】
　また、データメモリ３は、ＭＰＵ２において演算された結果等の電子マネーの金額情報を記憶するものであり、ＰＲＯＭ（Programmable ROM）により構成されている。
　すなわち、このデータメモリ３は、電子マネーを格納する機能を有しているのであり、具体的には、このデータメモリ３には、後述にて詳述するように、電子マネーを用途別に分類して格納すべく、単一種類の通貨に関して、用途別に電子マネーを格納する格納領域が複数形成されている。
【００２３】
　さらに、コネクト部４は、外部装置（図２では図示せず）に接続される電極部であり、ＩＣカード１０００はこのコネクト部４を介して外部装置と入出金データ等の送受を行なうようになっている。
　上述の構成により、電子マネー情報が記録されたＩＣカード１０００を、コネクト部４を介して外部装置（図２では図示せず）に接続することにより、ＩＣカード１０００のＭＰＵ２が外部装置と接続され、この外部装置からの入力（指示）に従い、ＭＰＵ２によりデータメモリ３に格納されている電子マネーの金額情報の操作が行なわれる。
【００２４】
　このＩＣカード１０００の使用例を示すと、利用者は金融機関の電子マネー対応ＡＴＭ（後述にて詳述する）にＩＣカード１０００を挿入し、このＡＴＭを通じて電子マネーの発行を要求する。この要求により金融機関のホストコンピュータは利用者の預金口座から要求された分の金額を減額するとともに、その金額と同額の電子マネーを発行し、ＡＴＭを通じて利用者のＩＣカード１０００のデータメモリ３に格納する。又、同様にして、金融機関のＡＴＭを用いて電子マネーの現金化や、電子マネーによる預金等も行なうことができる。
【００２５】
　利用者はこのＩＣカード１０００を財布の代わりに所持し、例えば商店等で買物を行なう際には、商店等に設置されるＰＯＳ端末（後述にて詳述する）にＩＣカード１０００を挿入して代金の支払を行なう。なお、ＰＯＳ端末やＡＴＭを通じて利用者から支払われた電子マネーは、電子マネー発行元センターに送信され、精算されるのである。
　一方、上述したＩＣカード１０００は、機能的には、図１に示すように、電子マネー分散格納制御部１００，電子マネー支払実行部２００，記憶部３００，禁止部６００をそなえて構成されている。
【００２６】
　ここで、記憶部３００は、前述のごとく電子マネーを単一種類の通貨に関して書換え可能に保持しうるものであり、図２に示すデータメモリ３に相当するものである。
　この記憶部３００は、図１に示すように、複数の格納領域（ポケット）３０１−１〜３０１−Ｎからなる格納部３１０をそなえている。なお、以下、格納領域３１０−１〜３０１−Ｎを、便宜上、格納領域（ポケット）３０１という場合がある。
【００２７】
　ここで、格納領域３０１は、電子マネーの用途（使用目的，支払目的）別に定義されるものであり、任意の金額の電子マネー及びそれに付随する各種情報を、単一種類の通貨に関して用途別に分類して格納するものである。
　なお、格納部３１０および格納領域３０１については、図８を用いて後述にて詳細に説明する。
【００２８】
　また、電子マネー分散格納制御部１００は、記憶部３００において用途別に定義される複数の格納領域３０１を設定し、電子マネーを複数の格納領域３０１に指定通り用途に応じて分散して格納するものであり、電子マネー分散格納制御手段として機能するものである。なお、この電子マネー分散格納制御部１００は、図２に示すＭＰＵ２に相当する。
　詳細には、この電子マネー分散格納制御部１００は、格納領域指定部１０１，格納処理部１０２，移動処理部１０３および精算部１０４をそなえて構成されている。
【００２９】
　ここで、格納領域指定部１０１は、前述した外部装置（具体的には、ＡＴＭ，電子財布）から電子マネーを読み込んで、ＩＣカード１０００の記憶部３００内にこの電子マネーを受領して格納する際に、この電子マネーの用途に応じた格納領域３０１を指定する指定手段として機能するものである。
　さらに、この格納領域指定部１０１は、後述するように、記憶部３００内で所有している電子マネーについて、複数の格納領域３０１間で電子マネーを移動する際に、電子マネーの移動元の格納領域３０１および電子マネーの移動先の格納領域３０１のうちの少なくとも一方の格納領域３０１を指定する（本実施形態では、電子マネーの移動先の格納領域３０１を指定する場合について説明する。）指定手段としても機能するものである。
【００３０】
　また、格納処理部１０２は、前述した外部装置から電子マネーを読み込んで、記憶部３００内にこの電子マネーを受領して格納する際に、格納領域指定部１０１で指定された格納領域３０１に電子マネーを格納する処理を行なうものであり、格納手段として機能するものである。
　さらに、移動処理部１０３は、記憶部３００内で所有している電子マネーについて、複数の格納領域３０１間で電子マネーを移動する際に、格納領域指定部１０１で指定された電子マネーの移動元の格納領域３０１から、電子マネーの移動先の格納領域３０１に電子マネーを移動するものであり、移動手段として機能するものである。
【００３１】
　また、本実施形態にかかるＩＣカード１０００においては、記憶部３００内で所有している電子マネーで支払を行なう際に、支払額不足のために、指定された格納領域３０１に格納されている電子マネーで支払ができない場合には、他の格納領域３０１に格納されている電子マネーを借りだして支払を行なうべく、他の格納領域３０１から、支払額不足が生じた格納領域３０１へ電子マネーを移動することができるようになっているのであるが、精算部１０４は、外部装置から電子マネーを読み込んで、記憶部３００内にこの電子マネーを受領して格納する際に、その際の支払不足額に相当する電子マネーを当該他の格納領域３０１に格納して、支払不足額の精算を行なうものであり、精算手段として機能するものである。
【００３２】
　なお、格納領域指定部１０１，格納処理部１０２および移動処理部１０３は、図２に示す制御部２１に相当するものであり、精算部１０４は、図２に示す演算部２２に相当するものである。
　また、電子マネー支払実行部２００は、記憶部３００内に所有している電子マネーに関し、複数の格納領域３０１のうち所望の格納領域３０１を指定して、この指定された格納領域３０１に格納されている電子マネーで支払を実行するものであり、電子マネー支払実行手段として機能するものである。なお、この電子マネー支払実行部２００は、図２に示すＭＰＵ２に相当する。
【００３３】
　詳細には、この電子マネー支払実行部２００は、格納領域指定部２０１，移動処理部２０２および貸し借り情報記録部２０３をそなえて構成されている。
　ここで、格納領域指定部２０１は、記憶部３００内で所有している電子マネーで支払を行なう際に、その支払用途に応じた格納領域３０１を指定するとともに、前述のごとく指定された格納領域３０１に格納されている電子マネーの残高が支払額未満である（すなわち支払額不足である）ため、その格納領域３０１に格納されている電子マネーで支払ができない場合には、他の格納領域３０１に格納されている電子マネーを借りだして支払を行なうべく、当該他の格納領域３０１を指定するものであり、指定手段として機能するものである。
【００３４】
　また、移動処理部２０２は、記憶部３００内で所有している電子マネーで支払を行なう際に、前述のごとく指定された格納領域３０１に格納されている電子マネーで支払ができない場合に、格納領域指定部２０１で指定された当該他の格納領域３０１から、電子マネーを支払額不足が生じた格納領域３０１へ移動するものであり、移動手段として機能するものである。
【００３５】
　さらに、貸し借り情報記録部２０３は、移動処理部２０２により、当該他の格納領域３０１から電子マネーを支払額不足が生じた格納領域３０１へ移動する際に、支払額不足が生じた格納領域３０１〔すなわち電子マネーの移動先（借り側）の格納領域３０１〕，支払不足が生じた格納領域３０１へ電子マネーを貸した格納領域３０１〔すなわち電子マネーの移動元（貸し側）の格納領域３０１〕を識別するための番号（後述するポケット番号）および、移動した電子マネーの金額（支払不足額）等の貸し借り情報（後述する貸し付け情報および借りだし情報）を記憶部３００内の各格納領域３０１の所定の部位に記録するものであり、貸し借り情報記録手段として機能するものである。
【００３６】
　なお、移動処理部２０２および貸し借り情報記録部２０３は、図２に示す制御部２１に相当するものである。
　また、禁止部６００は、電子マネー分散格納制御部１００及び電子マネー支払実行部２００による各格納領域３０１に対する電子マネーの書き込み，読み出しをそれぞれ禁止／解除しうるものであり、禁止手段として機能するものであり、図２に示す制御部２１に相当するものである。
【００３７】
　このように、ＩＣカード１０００は、通貨の電子的象徴として定義される電子マネーを所要の記憶部３００に書き替え可能に保持しうる媒体であって、媒体内の記憶部３００において、単一種類の通貨に関し、用途別に定義される複数の格納領域３０１が設定され、この複数の格納領域３０１に、電子マネーが指定通り用途に応じて分散して格納されるように構成されているのである。
【００３８】
　ここで、前述した格納部３１０および格納領域３０１について更に説明すると、記憶部３００には、詳細には、図８に示すような格納部３１０が形成されており、更に、この格納部３１０には、用途別に定義される格納領域（ポケット）３０１−１〜３０１−Ｎ〔便宜上、格納領域（ポケット）３０１という〕が複数形成されている（図８における各行に相当）。又、各ポケット３０１（以下、本実施形態において格納領域３０１をポケット３０１と称する。）には、「ポケット番号」，「使用状況」，「通貨」，「残高」，「貸し付け情報」，「借りだし情報」，「ロック」，「備考／用途」等の情報が記録されるようになっている（図８における各列に相当）。
【００３９】
　ここで、「ポケット番号」には、ポケット３０１を識別するための番号（Ｐ１〜Ｐｎ）が記録されるようになっている。又、「使用状況」には、現在選択されているポケット３０１を識別するためのフラグが記録されるようになっており、現在、選択されているポケット３０１にのみ「１」が記録され、それ以外の選択されていないポケット３０１には、「０」が記録されるようになっている。
【００４０】
　また、「通貨」には、そのポケット３０１に格納されている電子マネーの通貨の種類〔￥（円），＄（ドル）など〕を識別するための情報が記録されるようになっており、「残高」には、そのポケット３０１に格納されている電子マネーの残高金額が記録されるようになっている。
　さらに、「貸し付け情報」には、前述したように他のポケット３０１へ電子マネーを貸し付けた場合に、貸し付けた金額と貸し付け先のポケット番号とからなる貸し付け情報が、貸し借り情報記録部２０３により記録されるようになっている。又、同様に、「借りだし情報」には、他のポケット３０１から電子マネーを借りだした場合に、借りだした金額と借り先のポケット番号とからなる借りだし情報が、貸し借り情報記録部２０３により記録されるようになっている。
【００４１】
　「ロック」には、そのポケット３０１の使用の禁止／禁止解除を識別するための情報（ロックＯＮ／ロックＯＦＦ）が記録されるようになっており、又、「備考／用途」には、そのポケット３０１に格納されている電子マネーの用途等の備考情報を利用者等が記録（設定）できるようになっている。
　そして、このような構成を有するＩＣカード１０００は、上述したような外部装置４００とコネクト部４（図２参照）を介して接続されるようになっている。
　また、この外部装置４００は、記憶部３００内の各種情報（例えば格納部３１０に記録される各格納領域３０１毎の残高，貸し付け情報，借りだし情報，備考／用途等）を表示する表示手段としての表示部４０１（例えば電子財布や残高表示器等の表示画面が表示部４０１に相当する。）をそなえている。
【００４２】
　実際には、本実施形態にかかる電子マネーの管理所有装置１０において、上述した電子マネー分散格納制御部１００，電子マネー支払実行部２００に相当する機能は、ＩＣカード１００のＲＯＭ２３や外部装置４００におけるディスク装置等の記録媒体（図示せず）に記録された電子マネー管理所有用プログラムを、ＩＣカード１０００のＲＡＭ２４に読み出し、その電子マネー管理所有用プログラムを起動してＭＰＵ２（具体的には制御部２１，演算部２２）で実行することにより、ＭＰＵ２の動作として実行される（図２参照）。
【００４３】
　ここで、電子マネー管理所有用プログラムは、コンピュータに所要の記憶部３００に書き替え可能に保持しうる媒体５００内の記憶部３００において用途別に定義される複数の格納領域３０１に、電子マネーを指定通り用途に応じて分散して格納する電子マネー分散格納制御手順や、媒体５００内で所有している電子マネーに関し、所望の格納領域３０１を指定して、この指定の格納領域３０１に格納されている電子マネーで支払を実行する電子マネー支払実行手順とを実行させるものである。
【００４４】
　なお、この電子マネー管理所有用プログラムは、例えば、図示しないＣＤ−ＲＯＭ等に記録されており、このＣＤ−ＲＯＭ等からＩＣカード１０００のＲＯＭ２３、又は、外部装置４００におけるディスク装置等（図示せず）にあらかじめ記憶させておき使用される。即ち、上述したＣＤ−ＲＯＭ、又は、外部装置４００におけるディスク装置等が、電子マネー管理所有用プログラムを記録したコンピュータ読み取り可能な記録媒体に相当する。
【００４５】
　（ａ２）電子マネーの管理所有装置の使用態様
　さらに、（ａ１）にて上述したＩＣカード１０００を、外部装置４００として、（１）ＰＯＳシステム，（２）電子財布，（３）電子マネー対応ＡＴＭおよび（４）残高表示器と組み合わせて使用する態様について説明する。
（１）ＰＯＳシステム
　図３は、ＰＯＳシステムにおけるＰＯＳ端末の外観を模式的に示す図であり、このＰＯＳ端末７００は、例えば商店等に設置されるものであり、この図３に示すように、ＰＯＳ本体７１０と顧客用ＩＣカードリーダ／ライタ（顧客用ＩＣカードＲ／Ｗ）７２０とをそなえて構成されている。
【００４６】
　ＰＯＳ本体７１０は表示手段としての表示パネル７１１と筐体部７１２とから構成されており、筐体部７１２には、電子マネー格納用ＩＣ７１３が設けられている。一方、顧客用ＩＣカードＲ／Ｗ７２０は、表示パネル７２１と操作部（ＫＢ）７２２とをそなえており、更に、この顧客用ＩＣカードＲ／Ｗ７２０には、ＩＣカード１０００を挿入接続することができるようになっていて、顧客がこの顧客用ＩＣカードＲ／Ｗ７２０にＩＣカード１０００を挿入し、操作部７２２を操作することにより、現金を使用するのと同様に、ＩＣカード１０００に記録されている電子マネーで買物時の支払を行なうようになっている。
【００４７】
　（２）電子財布　
　また、図４は、電子財布の外観を模式的に示す図であり、この電子財布８００は、この図４に示すように、表示パネル８０１および操作部８０２をそなえて構成されているとともに、図示しないデータメモリを有しており、このデータメモリにも図８や図９に示すような複数のポケット３０１が形成され、これらのポケットに電子マネーを記録することができるようになっている。
【００４８】
　さらに、この電子財布８００には、ＩＣカード１０００を挿入接続することができるようになっており、この電子財布８００にＩＣカード１０００を挿入し、操作部８０２を操作することにより、ＩＣカード１０００や電子財布８００のデータメモリに登録されている電子マネーの残高金額を表示パネル８０１に表示したり、セキュリティのために、各ポケット３０１にロックをかけてポケット３０１を使用できなくしたりすることができる他、電子マネーによる公共料金の支払いや、他のＩＣカード１０００との間で電子マネーの授受を行なうことができるようになっている。
【００４９】
　（３）電子マネー対応ＡＴＭ端末
　図５は、電子マネー対応ＡＴＭの外観を模式的に示す斜視図であり、このＡＴＭ５００は、図５に示すように、タッチパネル方式の表示・操作パネル部５０１，紙幣取出口５０２，硬貨取出口５０３，通帳挿入口５０４およびキャッシュカード挿入口５０５をそなえて構成されているとともに、ＩＣカード１０００を挿入するＩＣカード挿入口５０６を有している。
【００５０】
　この電子マネー対応ＡＴＭ５００のＩＣカード挿入口５０６にＩＣカード１０００を挿入し、表示・操作パネル５０１を操作することにより、例えば、銀行口座の預金をＩＣカード１０００に移動させたり、逆に、ＩＣカード１０００に記録されている電子マネーを銀行口座に預金したりすることができるようになっている。
　（４）残高表示器　
　また、図６は、残高表示器の外観を模式的に示す図であり、この残高表示器６００は、図６に示すように、表示パネル６０１および操作部６０２とをそなえて構成されており、携帯性を高めるためキーホルダー部６０３が備え付けられている。又、この残高表示器６００には、ＩＣカード１０００を挿入接続することができるようになっており、この残高表示器６００にＩＣカード１０００を挿入し、操作部６０２を操作することにより、ＩＣカード１０００に登録されている電子マネーの残高を表示したり、セキュリティのために、ＩＣカード１０００内のデータメモリ３の各ポケットにロックをかけたり、又、ロックを解除したりできるようになっている。
【００５１】
　（ｂ）本発明の一実施形態にかかる電子マネーの管理所有装置の動作の説明
　　（ｂ１）電子マネーの管理所有装置の動作
　（ａ１）にて上述したような構成により、本発明の一実施形態にかかる電子マネーの管理所有装置１０においては、媒体５００（本実施形態ではＩＣカード１０００）に対し、電子マネー分散格納制御部１００により媒体５００内の記憶部３００において用途別に定義される複数のポケット（格納領域）３０１に、電子マネーが指定通り用途に応じて分散して格納されるとともに、電子マネー支払実行部２００により、媒体５００内で所有している電子マネーに関し、所望のポケット３０１（格納領域）３０１を指定して、この指定のポケット（格納領域）３０１に格納されている電子マネーで支払が実行される。
【００５２】
　ここで、本発明の一実施形態にかかる電子マネーの管理所有装置１０の機能について、図１および図７を参照しながら更に説明する。図７は本ＩＣカード１０００と電子財布８００（図４参照）を用いて電子マネーを授受する様子を説明するためのフローチャート（ステップＳ１〜ステップＳ３４）である。
　まず、ＩＣカード１０００を電子財布８００に形成されている挿入口に、本ＩＣカード１０００を挿入することにより（ステップＳ１）、ＩＣカード１０００のコネクト部４が電子財布８００と接続され、ＩＣカード１０００のデフォルトポケット（起動時に最初に選択されるポケット）の残高金額が、電子財布８００の表示パネル８０１に表示される（ステップＳ２）。
【００５３】
　ここで、利用者は、これから処理を行なおうとするポケット３０１が、表示パネル８０１に表示されているデフォルトポケットでよいかどうかの確認を行ない（ステップＳ３）、ポケット３０１を変更するのであれば（ステップＳ３のＹＥＳルート）、格納領域指定部１０１により他のポケット３０１を指定して、そのポケット３０１を選択する（ステップＳ１９）。なお、ここで、新規にポケット３０１を作成することもできるようになっている（ステップＳ１９）。
【００５４】
　そして、電子マネー分散格納制御部１００は、あらたに選択もしくは作成したポケット３０１をデフォルトポケットとして設定し（ステップＳ２０）、再度、デフォルトポケットの残高金額の表示を行なう（ステップＳ２）。　　
　また、利用者は、電子財布８００の表示パネル８０１に表示されている（選択されている）ポケット３０１に対して処理を行なう際においても（ステップＳ３のＮＯルート参照）、本当に処理変更を行なうのかの確認を行ない（ステップＳ４）、選択されているポケット３０１に対して処理変更を行なわない場合には（ステップＳ４のＮＯルート参照）、ＩＣカード１０００を電子財布８００に挿入した直後の状態（ステップＳ２）に戻る。
【００５５】
　選択されているポケット３０１に処理変更を行なう際において（ステップＳ４のＹＥＳルート参照）、先ず、利用者は、これから行なう処理が支払であるかの確認を行ない（ステップＳ５）、支払ではないのであれば（ステップＳ５のＮＯルート参照）、更に、これから行なう処理が受取であるのかという確認を行なう（ステップＳ６）。なお、ここで、受取も行なわないのであれば（ステップＳ６のＮＯルート参照）、ＩＣカード１０００を電子財布８００に挿入した直後の状態（ステップＳ２）に戻る。
【００５６】
　さて、受取を行なう場合には（ステップＳ６のＹＥＳルート）、先ず、利用者は、電子財布８００の操作部８０２を用いて受取金額を入力する（ステップＳ７）。ここで、利用者は、再度、選択されているポケット３０１に処理を行なってよいのかの確認を行なう（ステップＳ８）。ここで、処理を行なうポケット３０１を変更するのであれば（ステップＳ８のＹＥＳルート）、格納領域指定部１０１により他のポケット３０１を指定して、そのポケット３０１を選択する（ステップＳ９）。なお、ここで、新規にポケット３０１を作成することもできるようになっている（ステップＳ９）。
【００５７】
　さらに、電子マネー分散格納制御部１００は、あらたに選択もしくは作成したポケット３０１をデフォルトポケットとして設定し（ステップＳ１０）、利用者は、再度、処理を行なうポケット３０１を変更するかどうかの確認を行なう（ステップＳ８）。　　
　また、ポケット３０１を変更せず、選択されているポケット３０１に対して処理を行なう場合には（ステップＳ８のＮＯルート参照）、電子マネー分散格納制御部１００は、処理を行なうポケット３０１が、禁止部６００によりロックされているかどうかの判断を行なう（ステップＳ１１）。処理を行なうポケット３０１がロックされていない場合には（ステップＳ１１のＹＥＳルート）、ステップＳ７で操作部８０２から入力した受取金額相当の電子マネーを、移動処理部１０３により相手側のポケット３０１（電子財布８００のメモリのポケットや他のＩＣカード１０００内のデータメモリ３のポケット等）から選択されているポケット３０１に移動させ（ステップＳ１３）、格納処理部１０２により電子マネーを移動先のポケット３０１に格納した後、電子マネー分散格納制御部１００は、残高情報を更新する（ステップＳ１４）。
【００５８】
　一方、処理を行なうポケット３０１が禁止部６００によりロックされている場合には（ステップＳ１１のＮＯルート参照）、利用者が操作部８０２からパスワードを入力することにより、禁止部６００がロックを解除した後（ステップＳ１２）、同様に、ステップＳ７で操作部８０２から入力した受取金額相当の電子マネーを、移動処理部１０３により相手側のポケット（電子財布８００のメモリのポケットや他のＩＣカード１０００内のメモリのポケット等）から選択されているポケット３０１に移動させ（ステップＳ１３）、格納処理部１０２により電子マネーを移動先のポケット３０１に格納した後、電子マネー分散格納制御部１００は残高情報を更新する（ステップＳ１４）。　
【００５９】
　ここで、選択されているポケット３０１に電子マネーが入金される際に、貸し借り情報記録部２０３により、そのポケット３０１についての貸し借り情報が表示部４０１に表示され、電子マネー分散格納制御部１００は、この選択されているポケット３０１が他のポケット３０１から借金しているかどうかを判断し（ステップＳ１５）、借金していなければ（ステップＳ１５のＮＯルート）ステップＳ２に戻る。
【００６０】
　また、選択されているポケット３０１が他のポケット３０１から借金している場合には（ステップＳ１５のＹＥＳルート）、精算部１０４によりその借金を返済するかどうかを確認する（ステップＳ１６）。
　ここで、借金を返済しないのであれば（ステップＳ１６のＮＯルート）、ＩＣカード１０００を電子財布８００に挿入した直後の状態（ステップＳ２）に戻り、返済するのであれば（ステップＳ１６のＹＥＳルート）、精算部１０４によりポケット３０１間で借金の返済を行ない（ステップＳ１７）、貸し借り情報記録部２０３により貸し／借り情報を更新し（ステップＳ１８）、ステップＳ２に戻る。
【００６１】
　一方、支払を行なう場合には（ステップＳ５のＹＥＳルート）、利用者は、電子財布８００の操作部８０２を用いて支払金額を入力し（ステップＳ２１）、電子マネー支払実行部２００（もしくは利用者）は、ステップＳ２１で入力された支払金額が、選択されているポケット３０１で支払可能かを判断する（ステップＳ２２）。
　ここで、選択されているポケット３０１では支払が不可能な場合には（ステップＳ２２のＮＯルート）電子マネー支払実行部２００は、処理を行なうポケット３０１を変更するかどうかの確認を行なう（ステップＳ２３）。処理を行なうポケット３０１を変更する場合には（ステップＳ２３のＹＥＳルート）、格納領域指定部２０１により他のポケット３０１を指定して、そのポケット３０１を選択し（ステップＳ２４）、更に、電子マネー支払実行部２００は、選択されたポケット３０１をデフォルトポケットとして設定し（ステップＳ２５）、電子マネー支払実行部２００（もしくは利用者）は、再度、選択されたポケット３０１で支払可能かを判断する（ステップＳ２２）。
【００６２】
　また、処理を行なうポケット３０１を変更しない場合には（ステップＳ２３のＮＯルート）、電子マネー支払実行部２００は、不足分の金額を他のポケット３０１から借りるかを確認する（ステップＳ２６）。不足分の金額を他のポケット３０１から借りる場合には（ステップＳ２６のＹＥＳルート）、格納領域指定部２０１によりどのポケット３０１から借りるかを指定して、そのポケット３０１を選択し（ステップＳ２８）、移動処理部２０２により貸し側のポケット３０１から借り側の（選択されている）ポケット３０１へ電子マネーを移動させ（ステップＳ２９）、貸し借り情報記録部２０３により貸し借り情報を更新した後、電子マネー支払実行部２００は、再度、ステップＳ２１で入力された支払金額が、選択されているポケット３０１で支払可能かを判断する（ステップＳ２２）。
【００６３】
　不足分の金額を他のポケット３０１から借りない場合には、電子マネー支払実行部２００は、支払を中止するつもりかを確認し（ステップＳ２７）、支払を中止しないのであれば（ステップＳ２７のＮＯルート）、電子マネー支払実行部２００（もしくは利用者）は、再度、ステップＳ２１で入力された支払金額が、選択されているポケット３０１で支払可能かを判断する（ステップＳ２２）。又、支払を中止する場合には（ステップＳ２７のＹＥＳルート）、ステップＳ２に戻る。
【００６４】
　一方、選択されているポケット３０１で支払が可能な場合には（ステップＳ２２のＹＥＳルート）、電子マネー支払実行部２００は、処理を行なうポケット３０１が禁止部６００によりロックされているかどうかの判断を行なう（ステップＳ３１）。処理を行なうポケット３０１がロックされていない場合には（ステップＳ３１のＹＥＳルート）、ステップＳ２１で電子財布８００の操作部８０２から入力した支払金額の電子マネーを、選択されているポケット３０１から相手（電子財布８００のメモリのポケットや他のＩＣカード１０００内のメモリのポケット等）へ移動処理部２０２により移動させた後（ステップＳ３３）、電子マネー支払実行部２００は、ＩＣカード１０００内のデータメモリ３の各ポケット３０１の残高情報を更新する（ステップＳ３４）。
【００６５】
　一方、処理を行なうポケット３０１がロックされている場合には（ステップＳ３１のＮＯルート参照）、利用者が操作部８０２からパスワードを入力することにより、禁止部６００がロックを解除した後（ステップＳ３２）、ステップＳ２１で操作部８０２から入力した受取金額相当の電子マネーを、選択されているポケット３０１から相手（電子財布８００のメモリのポケットや他のＩＣカード１０００内のメモリのポケット等）へ移動処理部２０２により移動させ（ステップＳ３３）、電子マネー支払実行部２００は、ＩＣカード１０００内のメモリの各ポケットの残高情報を更新し（ステップＳ３４）、ステップＳ２に戻るのである。
【００６６】
　このように、本発明の一実施形態にかかる電子マネーの管理所有装置によれば、一つのＩＣカードにおいて、単一種類の通貨に関して電子マネーを用いる際においても、用途別にポケット３０１を使い分けることができるため、現金を用途別に分けてもっているのと同じ感覚で電子マネーを使用することができ、現金のようにかさばらないという電子マネーの特性を活かしつつ、その利便性を上げることができる。
【００６７】
　また、他のポケット３０１から電子マネーを支払額不足が生じたポケット３００１へ移動する際に、貸し借り情報を貸し借り情報記録部２０３に記録することができるので、それらの用途別に管理された電子マネー間において、貸し借りが発生した際にもその貸し借り情報を管理することができ、電子マネーの管理・運用が容易である。
　　（ｂ２）電子マネーの管理所有装置の使用態様
　さらに、本発明の一実施形態にかかる電子マネーの管理所有装置におけるＩＣカード１０００により、単一種類の通貨に関して電子マネーを用途別に定義される複数のポケット３０１に格納して使用する様子を、（１）ＰＯＳシステム，（２）電子財布，（３）電子マネー対応ＡＴＭおよび（４）残高表示器の各装置と組み合わせて使用する場合について説明する。
【００６８】
　（１）ＰＯＳシステム
　本発明の一実施形態としての電子マネーの管理所有装置としてのＩＣカードおよびＰＯＳシステムを用いて、電子マネーで物品を購入する様子を、図８〜図１３を用いて説明する。
　ここで、図９および図１２は本実施形態におけるＰＯＳ本体の表示画面を示す図、図１０および図１１は本実施形態における顧客用ＩＣカードＲ／Ｗの表示画面を示す図、図１３は格納部の構成、すなわち、本ＩＣカード内の更新されたメモリ情報を示す図である。
【００６９】
　ここで、図８に示すようなメモリ情報を有するＩＣカード１０００を用いて買物をし、図３に示すようなＰＯＳ端末を用いて支払を行なう様子を以下に示す。　顧客がこの顧客用ＩＣカードＲ／Ｗ７２０に電子マネーが記録されたＩＣカード１０００を挿入し、操作部７２２を操作することにより、現金を使用するのと同様にＩＣカード１０００に登録されている電子マネーで買物ができるようになっているのであるが、以下に示す実施例において、その支払額が￥８００であったとする。
【００７０】
　支払時において、先ず、店員は、ＰＯＳの画面に表示された購入金額を顧客に通知し、顧客が電子マネーで支払を行なうことを確認すると、支払手段が電子マネーであることをＰＯＳ本体７１０を用いて入力する。なお、この状態におけるＰＯＳ本体７１２の表示パネル７１１の画面を図９に示す。
　代金の支払が電子マネーで行なわれることを確認した店員は、顧客に、顧客用ＩＣカードＲ／Ｗ７２０に顧客の電子マネーの入ったＩＣカード１０００を挿入するように指示し、顧客は、ＩＣカード１０００を顧客用ＩＣカードＲ／Ｗ７２０に挿入する。なお、この状態における顧客用ＩＣカードＲ／Ｗ７２０の表示パネル７２１の画面を図１０に示す。
【００７１】
　この図１０に示すように、顧客用ＩＣカードＲ／Ｗ７２０の表示パネル７２１の画面には、支払要求額（本実施例では￥８００）と、デフォルトポケット（Ｐ１）の残高金額および備考／用途情報が表示されるとともに、現在、選択されているポケット３０１から支払を行なってもよいかを確認する旨のメッセージが表示される。
　このメッセージに対し、顧客が顧客用ＩＣカードＲ／Ｗ７２０の操作部７２２から「決定」を選択することにより、顧客用ＩＣカードＲ／Ｗ７２０の表示パネル７２１の画面は図１１に示すように変更され、一方、店員の見ているＰＯＳ本体の表示パネル７１１の画面も、図１２に示すように変更される。
【００７２】
　さらに、顧客が顧客用ＩＣカードＲ／Ｗ７２０から「決定」を選択することにより、移動処理部２０２（図１参照）により、図１３に示すように、ＩＣカード１０００のデータメモリ３に記録されている電子マネーのうちＰ１のポケット３０１に記録されていた電子マネーから、商品の代金（￥８００）分だけ、顧客のＩＣカード１０００からＰＯＳ端末内のＩＣへ移動され、更に、電子マネー支払実行部２００によりＩＣカード１０００内のメモリ情報が更新される。このようにして、店舗での物品購入が行なわれるのである。
【００７３】
　（２）電子財布
　次に、本発明の一実施形態としての電子マネーの管理所有装置としてのＩＣカードおよび電子財布を用いて、電子マネーで公共料金の支払をする様子を、図を用いて説明すると、図１４は格納部の構成、すなわち、本ＩＣカード内のメモリ情報を示す図である。
　さて、図１４に示すように、本ＩＣカード１０００内におけるデータメモリ３（記憶部３００）にも、前述の図８に示すような格納部３１０が形成されており、その詳細な説明は省略する。
【００７４】
　このようなメモリ情報を有するＩＣカード１０００を用いて買物をし、図４に示すような電子財布を用いて公共料金の支払を行なう様子を以下に示す。
　利用者がこの電子財布８００に電子マネーが記録されたＩＣカード１０００を挿入し、操作部８０２を操作することにより、現金を使用するのと同様にＩＣカード１０００に登録されている電子マネーで公共料金の支払等をできるようになっている。
【００７５】
　なお、本実施例において、公共料金支払前のＩＣカード１０００内のメモリ情報は、図１３に示す状態であり、又、公共料金の支払をまだ行なっていないため、現在の公共料金用ポケットＰ３は、禁止部６００（図１参照）によりロックＯＮ（使用禁止）の状態に設定されているものとする。
　このようなメモリ情報を有するＩＣカード１０００により、電子マネーで公共料金を支払うためには、先ず、この公共料金用ポケットＰ３に設定されているロックを解除する必要がある。
【００７６】
　ここで、本ＩＣカード１０００は、このようなロックのＯＮ／ＯＦＦを行なうために、禁止部６００により、あらかじめＩＣカード１０００や各ポケット毎にパスワードを設定しておき、ロックの解除の際には、利用者が、このあらかじめ設定したパスワードを入力し、この入力されたパスワードとあらかじめ設定されているパスワードとが一致した場合においてのみ、禁止部６００は持主によるロック解除の要請であるとみなし、ロックのフラグをＯＦＦにし、支払等が可能な状態になるようになっている。
【００７７】
　また、利用者がパスワードを入力して、公共料金用ポケットＰ３のロックを解除して支払等に使用可能な状態にした後、今度は、格納領域指定部２０１（図１参照）により公共料金用ポケットＰ３から支払を行なうように設定する。すなわち、現在、選択されているポケットは、図１３に示すようにＰ１であるため、電子財布８００の操作部８０２により、ポケットＰ３を選択するのである。なお、この状態におけるＩＣカード１０００のメモリ情報を図１４に示す。
【００７８】
　なお、ここまでの操作は、公共料金を徴収する人の電子財布８００で行なってもよく、又、自分の電子財布８００やＰＣ（Personal Computer ）等を用いて行なってもよい。
　上述のように公共料金用ポケットＰ３から支払を行なうことができるように設定したＩＣカード１０００を公共料金を徴収する人の電子財布８００に挿入し、前述の（１）ＰＯＳシステムにおいて、支払を行なったのと同様の操作により、移動処理部２００（図１参照）により公共料金用ポケットＰ３から公共料金を徴収する人の電子財布８００へ電子マネーの移動を行ない、公共料金の支払を行なうのである。
【００７９】
　（３）電子マネー対応ＡＴＭ
　次に、本発明の一実施形態としての電子マネーの管理所有装置としてのＩＣカードおよび電子マネー対応ＡＴＭを用いて、銀行口座から電子マネーの引き落としを行なう様子を、図を用いて説明すると、図１５〜図１９は本実施形態における電子マネー対応ＡＴＭの表示画面を示す図である。
【００８０】
　利用者がこの電子マネー対応ＡＴＭ５００に電子マネーが記録されたＩＣカード１０００を挿入し、表示・操作パネル部５０１を操作することにより、電子マネー対応ＡＴＭにより、銀行口座からＩＣカード１０００に電子マネーを移動させる（引き出す）様子を以下に示す。
　さて、本実施例におけるＩＣカード１０００は、銀行口座情報用のＭＳ（磁気ストライプ；Magnetic Strip）部を有するＩＣカードであり、従来の銀行用キャッシュカードとしての機能も有している。また、本ＩＣカード１０００内におけるデータメモリ３（記憶部３００）にも、前述の図８に示すような格納部３１０が形成されており、その詳細な説明は省略する。なお、本実施例において、銀行口座からＩＣカード１０００に電子マネーを引き出す前のＩＣカード１０００のメモリ情報は、図１４に示す状態であるとする。
【００８１】
　このＩＣカード１０００を、電子マネー対応ＡＴＭ（以下、ＡＴＭと呼ぶ）５００に挿入することにより、ＩＣカード１０００のメモリ情報が読み出され、ＡＴＭ５００の表示・操作パネル部５０１に、図１５に示すような画面が表示される。
　ここで、利用者がＡＴＭ５００の表示・操作パネル部５０１から「引き出し」を選択して決定すると、次に、表示・操作パネル部５０１に、図１６に示すような画面が表示され、利用者は、この図１６の画面において「銀行口座からカードに電子マネー引き出し」を選択して決定する。
【００８２】
　本処理が選択されることにより、先ず、通常の銀行用クレジットカードを用いた銀行口座からの現金の引き出し処理と同様に、暗証番号の入力および引き出し金額の入力を行なうための画面が表示・操作パネル部５０１に表示され、これらの画面に表示される指示に従い入力を行なう。
　また、この入力の際、図１７に示すように、どのポケット３０１に、銀行口座から引き出した電子マネーを入金するかを尋ねる画面が表示されるので、現在、選択されているポケット３０１に入金するのであれば、図１７に示す画面において「決定」を選択する。一方、ここで、「設定変更」を選択することにより、選択されているポケット３０１を変更したり、ポケット３０１の設定内容等の情報を変更することができるようになっている（格納領域指定部１０１（図１参照）に相当）。
【００８３】
　さて、本実施形態においては、新規にポケットＰ６を設定して、このポケットＰ６に入金を行なう場合について説明する。なお、ポケットＰ６は、現在、何も設定がされていない状態のポケットである。
　すなわち、ここで利用者は、表示・操作パネル部５０１から「設定変更」を選択し、続いて表示される図１８に示す画面において、入金するポケットを選択し、決定する。
【００８４】
　この図１８に示す画面において、「６」を選択すると、表示・操作パネル部５０１に図１９に示すような画面が表示される。又、「備考」（すなわち図１４に示すメモリ情報における「備考／用途」）欄に登録する用途等があれば、この図１９に示す画面において設定する。
　このようにして格納領域指定部１０１によりポケットＰ６に入金することが選択されると、格納処理部１０２（図１参照）により指定された金額の電子マネーが銀行口座からＩＣカード１０００へ移動し、又、ＩＣカード１０００内のメモリ情報も更新される。
【００８５】
　なお、「備考／用途」として設定する内容には特に制限がなく、ＡＴＭ等により、新規に入力することができるようにしてもよい。
　また、上記実施形態では、ＡＴＭを用いて「備考／用途」に登録する情報を入力しているが、それに限定されるものではなく、ＩＣカードＲ／Ｗ機能を有するＰＣ等を用いて設定してもよい。
【００８６】
　（４）残高表示器
　次に、本発明の一実施形態としての電子マネーの管理所有装置としてのＩＣカードおよび残高表示器を用いて、電子マネーの管理を行なう様子を、図を用いて説明すると、図２０〜図２５は本ＩＣカード内のデータメモリ３に形成された各ポケットの残高金額を示す図である。
【００８７】
　さて、本実施形態における本ＩＣカード１０００内におけるデータメモリ３（記憶部３００）にも、前述の図８に示すような格納領域３１０が形成されており、その詳細な説明は省略する。
　このようなメモリ情報を有するＩＣカード１０００を用いて買物をし、図６に示すような残高表示器を用いて電子マネーの管理を行なう様子を以下に示す。
【００８８】
　利用者がこの残高表示器６００に電子マネーが記録されたＩＣカード１０００を挿入し、操作部６０２を操作することにより、財布の中で現金を管理するのと同様にＩＣカード１０００に登録されている電子マネーを使用し、又、管理できるようになっている。
　さて、本実施例において、ＩＣカード１０００内におけるデータメモリ３（記憶部３００）には、図２０に示すように、格納領域３０１としてのＮ個のポケット３０１−１〜３０１−Ｎが形成されており、利用者はこれらのポケット３０１−１〜３０１−Ｎの内、どのポケットにも自由に電子マネーを格納できるようになっている。
【００８９】
　ここで、本実施形態において、ポケット３０１−１を食費用、ポケット３０１−２を交際費用およびポケット３０１−３を雑費用として用いることとし、又、このＩＣカード１０００における各ポケット３０１には、単一種類の通貨である日本円の電子マネーが格納されている。なお、現在、ＩＣカード１０００全体として合計￥３００００の電子マネーが格納されており、その内訳としては、ポケット３０１−１（食費用）には￥５０００，ポケット３０１−２（交際費用）には￥１００００およびポケット３０１−３（雑費用）には￥１５０００の電子マネーが格納されているものとする。又、この状態におけるＩＣカード１０００の各ポケット３０１の残高金額を図２０に示す。
【００９０】
　このようなＩＣカード１０００および残高表示器６００を用いて、ある会社員の行動を例にして、電子マネーの使用および管理を行なう様子を以下に説明する。なお、以下に示す電子マネーによる支払の際には、前述のＰＯＳ端末を使用した買物に準じた操作による支払処理を行なうものとする。
　まず、電車に乗る前に売店で新聞を電子マネーで購入し、この新聞の代金￥７０を雑費としてポケット３０１−３から支払い、次に、会社に着いてからコーヒーを購入し、このコーヒーの代金￥１００を食費としてポケット３０１−１から支払い、更に、午前の仕事を終え、昼休みに食堂で￥６５０のランチを注文し、このランチの代金￥６５０を食費としてポケット３０１−１から支払った場合に、この状態における各ポケットの電子マネーの履歴および残高を図２１に示すと、この図２１に示すように、ポケット３０１−１の残高は￥４２５０，ポケット３０１−２の残高は￥１００００およびポケット３０１−３の残高は￥１４９３０となる。
【００９１】
　午後に入り、仕事の合間にコーヒーをもう一杯購入し、このコーヒーの代金￥１００を食費としてポケット３０１−１から支払い、又、退社後に同僚と食事をしに行ったが、食事の代金が￥５０００であったため、ポケット３０１−１の残高では足りず、不足分￥８５０をポケット３０１−３の雑費から借用することにする。
　この状態における各ポケットの電子マネーの履歴および残高を図２２に示す。この図２２に示すように、ポケット３０１−１の残高は￥０であり、ポケット３０１−３の残高は￥１４０８０であり、又、ポケット３０１−１はポケット３０１−３から￥８５０借入している。
【００９２】
　さらにカラオケに行き、カラオケの料金￥３０００を交際費としてポケット３０１−２から支払う。
　このようにして１日を終えた際に、ＩＣカード１０００の電子マネーの残高は、図２３に示すように、ポケット３０１−１の残高は￥０であり、ポケット３０１−２の残高は￥７０００であり、ポケット３０１−３の残高は￥１４０８０であり、更に、この他にポケット３０１−１には貸し借り情報記録部２０３（図１参照）により「ポケット３０１−３から８５０円借用中」という情報が記録されている。
【００９３】
　翌朝、出勤前にＡＴＭ５００や、電子財布８００等を用いて、電子マネーをＩＣカードに入金するのであるが（図２４参照）、ポケット３０１−１の残高が￥０であるためこのポケット３０１−１に￥５０００入金する操作を行なう際に、「ポケット３０１−３にポケット３０１−１の借用分￥８５０を移動するか？」というメッセージが、表示部４０１（図１参照）であるＡＴＭ５００の表示・操作パネル５０１や、電子財布８００の表示パネル８０１に表示される。
【００９４】
　ここで、「移動する」を選択することにより、精算部１０４（図１参照）によりポケット間における貸し借りの精算が行なわれてポケット３０１−１からポケット３０１−３へ借用していた８５０円が移動する。又、この状態における各ポケットの電子マネーの残高は、図２５に示すように、ポケット３０１−１の残高は￥４１５０であり、ポケット３０１−３の残高は￥１４９３０となる。なお、ポケット３０１−２とポケット３０１−３の残高金額にはまだ余裕があるので、そのままにしておくこととする。
【００９５】
　（ｃ）その他
　なお、上記実施形態では、ＩＣカード１０００内に、電子マネー分散格納制御部１００，電子マネー支払実行部２００および記憶部３００を有しており、表示部４０１はＰＯＳ端末７００，電子財布８００，ＡＴＭ５００および残高表示器６００等の外部装置側にそれぞれ設けられているが、それに限定されるものではなく、ＩＣカード１０００に表示部４００が形成されるようにしてもよく、又、ＩＣカード１０００内には記憶部３００のみが設けられ、電子マネー分散格納制御部１００，電子マネー支払実行部および表示部４００が、ＰＯＳ端末７００，電子財布８００，ＡＴＭ５００および残高表示器６００等の外部装置側にそれぞれ設けられてもよく、本発明の趣旨を逸脱しない範囲で種々変形して実施することができる。
【００９６】
　また、上記実施形態では、図１に示すように、ＩＣカード１０００内において、電子マネー分散格納制御部１００や、電子マネー支払実行部２００とは別に禁止部６００が設けられているが、それに限定されるものではなく、電子マネー分散格納制御部１００や電子マネー支払実行部２００内に各々禁止部６００を設けてもよく、本発明の趣旨を逸脱しない範囲で種々変形して実施することができる。
【図面の簡単な説明】
【００９７】
【図１】本発明の一実施形態にかかる電子マネーの管理所有装置の構成を示す機能ブロック図である。
【図２】本発明の一実施形態にかかる電子マネーの管理所有装置におけるＩＣカードのハードウェア構成を模式的に示す図である。
【図３】本発明の一実施形態にかかるの電子マネーの管理所有装置におけるＰＯＳシステムの外観を模式的に示す図である。
【図４】本発明の一実施形態にかかる電子マネーの管理所有装置における電子財布の外観を模式的に示す図である。
【図５】本発明の一実施形態にかかる電子マネーの管理所有装置における電子マネー対応自動預金支払機の外観を模式的に示す斜視図である。
【図６】本発明の一実施形態にかかる電子マネーの管理所有装置における残高表示器の外観を模式的に示す斜視図である。
【図７】本発明の一実施形態にかかる電子マネーの管理所有装置の動作を説明するためのフローチャートである。
【図８】格納部の構成例を示す図である。
【図９】本発明の一実施形態にかかる電子マネーの管理所有装置におけるＰＯＳシステムのＰＯＳ本体の表示画面を示す図である。
【図１０】本発明の一実施形態にかかる電子マネーの管理所有装置におけるＰＯＳシステムの顧客用ＩＣカードリーダ／ライタの表示画面を示す図である。
【図１１】本発明の一実施形態にかかる電子マネーの管理所有装置におけるＰＯＳシステムの顧客用ＩＣカードリーダ／ライタの表示画面を示す図である。
【図１２】本発明の一実施形態にかかる電子マネーの管理所有装置におけるＰＯＳシステムのＰＯＳ本体の表示画面を示す図である。
【図１３】格納部の構成例を示す図である。
【図１４】格納部の構成例を示す図である。
【図１５】本発明の一実施形態にかかる電子マネーの管理所有装置における電子マネー対応自動預金支払機の表示画面例を示す図である。
【図１６】本発明の一実施形態にかかる電子マネーの管理所有装置における電子マネー対応自動預金支払機の表示画面例を示す図である。
【図１７】本発明の一実施形態にかかる電子マネーの管理所有装置における電子マネー対応自動預金支払機の表示画面例を示す図である。
【図１８】本発明の一実施形態にかかる電子マネーの管理所有装置における電子マネー対応自動預金支払機の表示画面例を示す図である。
【図１９】本発明の一実施形態にかかる電子マネーの管理所有装置における電子マネー対応自動預金支払機の表示画面例を示す図である。
【図２０】本発明の一実施形態にかかる電子マネーの管理所有装置におけるＩＣカードの格納部の各ポケットの残高金額を示す図である。
【図２１】本発明の一実施形態にかかる電子マネーの管理所有装置におけるＩＣカードの格納部の各ポケットの残高金額例を示す図である。
【図２２】本発明の一実施形態にかかる電子マネーの管理所有装置におけるＩＣカードの格納部の各ポケットの残高金額を示す図である。
【図２３】本発明の一実施形態にかかる電子マネーの管理所有装置におけるＩＣカードの格納部の各ポケットの残高金額を示す図である。
【図２４】本発明の一実施形態にかかる電子マネーの管理所有装置におけるＩＣカードの格納部の各ポケットの残高金額を示す図である。
【図２５】本発明の一実施形態にかかる電子マネーの管理所有装置におけるＩＣカードの格納部の各ポケットの残高金額を示す図である。
【符号の説明】
【００９８】
　２　ＭＰＵ
　２１　制御部（指定手段，格納手段，移動手段，貸し借り情報記録手段）
　２２　演算部（精算手段）
　２３　ＲＯＭ
　２４　ＲＡＭ
　３　データメモリ（記憶部）
　４　コネクト部
　１０　電子マネーの管理所有装置
　１００　電子マネー分散格納制御部（電子マネー分散格納制御手段）
　１０１　格納領域指定部（指定手段）
　１０２　格納処理部（格納手段）
　１０３　移動処理部（移動手段）
　１０４　精算部（精算手段）
　２００　電子マネー支払実行部（電子マネー支払実行手段）
　２０１　格納領域指定部（指定手段）
　２０２　移動処理部（移動手段）
　２０３　貸し借り情報記録部（貸し借り情報記録手段）
　３００　記憶部
　３０１　格納領域
　３１０　格納部
　４００　外部装置
　４０１　表示部
　５００　媒体
　６００　禁止部
　１０００　ＩＣカード
【図１】
2004005734.tif 000003
【図２】
2004005734.tif 000004
【図３】
2004005734.tif 000005
【図４】
2004005734.tif 000006
【図５】
2004005734.tif 000007
【図６】
2004005734.tif 000008
【図７】
2004005734.tif 000009
【図８】
2004005734.tif 000010
【図９】
2004005734.tif 000011
【図１０】
2004005734.tif 000012
【図１１】
2004005734.tif 000013
【図１２】
2004005734.tif 000014
【図１３】
2004005734.tif 000015
【図１４】
2004005734.tif 000016
【図１５】
2004005734.tif 000017
【図１６】
2004005734.tif 000018
【図１７】
2004005734.tif 000019
【図１８】
2004005734.tif 000020
【図１９】
2004005734.tif 000021
【図２０】
2004005734.tif 000022
【図２１】
2004005734.tif 000023
【図２２】
2004005734.tif 000024
【図２３】
2004005734.tif 000025
【図２４】
2004005734.tif 000026
【図２５】
2004005734.tif 000027